(57)【要約】【課題】曲げ剛性が大きく血管内における推進性及び回転力の伝達性に優れた血液計測装置の提供。【解決手段】血液計測装置５０は、可撓性を有する管状のシャフト１０と、シャフト１０の遠位端に同軸に位置し、その内径がシャフト１０の内径より大きい管状の連結部１２と、連結部１２の内外を連通するスリット１４と、連結部１２の遠位端に同軸に連結された可橈性を有する管状の先端ガイド部２０と、連結部１２内に嵌め込まれており、先端ガイド部２０の内部空間を遠位端へ延びて先端ガイド部２０と接続された可撓性を有する芯材２６と、先端ガイド部２０の内部空間に位置しており、血液の物理量を計測する計測素子２７と、計測素子２７から延出されてスリット１４を通じてシャフト１０の内部空間に挿通された信号線２５と、を具備する。【選択図】図２
2017170363.tif 000002
【特許請求の範囲】
【請求項１】
可撓性を有する管状のシャフトと、
上記シャフトの遠位端に同軸に位置し、その内径が上記シャフトの内径より大きい管状の連結部と、
上記連結部の内外を連通する通路と、
上記連結部の遠位端に同軸に連結された可橈性を有する管状の先端ガイド部と、
上記連結部内に嵌め込まれており、上記先端ガイド部の内部空間を遠位端へ延びて上記先端ガイド部と接続された可撓性を有する芯材と、
上記先端ガイド部の内部空間に位置しており、血液の物理量を計測する計測素子と、
上記計測素子から延出されて上記通路を通じて上記シャフトの内部空間に挿通された信号線と、を具備する血液計測装置。
【請求項２】
上記連結部は、上記シャフトの遠位端に一体に形成されたものである請求項１に記載の血液計測装置。
【請求項３】
上記通路は、上記連結部において軸線方向へ延びるスリットである請求項２に記載の血液計測装置。
【請求項４】
上記通路は、上記芯材の近位端において軸線方向へ延びる溝である請求項２に記載の血液計測装置。
【請求項５】
上記連結部は、その外径が上記シャフトの近位端の外径より小さいものであり、
上記連結部に外嵌された管状のカバー部材を更に具備する請求項１から４のいずれかに記載の血液計測装置。
【請求項６】
上記芯材の近位端は、上記通路の近位端と遠位端との間に位置する請求項１から５のいずれかに記載の血液計測装置。
【請求項７】
上記連結部は、上記シャフトの遠位端に同軸に連結された管状の本体部と、当該本体部内の遠位端に位置して上記芯材が嵌め込まれた管状の支持部と、を有するものである請求項１に記載の血液計測装置。
【請求項８】
上記通路は、上記支持部において軸線方向へ延びるスリットである請求項６に記載の血液計測装置。
【請求項９】
上記通路は、上記芯材の近位端において軸線方向へ延びる溝である請求項６に記載の血液計測装置。
【請求項１０】
上記支持部の近位端は、上記本体部の近位端と遠位端との間に位置する請求項６から９のいずれかに記載の血液計測装置。
【請求項１１】
上記シャフトの内部空間の内径は、上記芯材の近位端の外径よりも小さい請求項１から１０のいずれかに記載の血液計測装置。
【請求項１２】
上記先端ガイド部は、線材が螺旋形状に巻かれたコイル体と、遠位端に位置する先端部材と、を有しており、
上記芯材は、上記先端部材に連結されたものである請求項１から１１のいずれかに記載の血液計測装置。
【請求項１３】
上記計測素子は、血液の圧力を計測するものである請求項１から１２のいずれかに記載の血液計測装置。
【請求項１４】
上記計測素子は、血液の流速を計測するものである請求項１から１２のいずれかに記載の血液計測装置。
【請求項１５】
管腔に挿入可能な長尺部材に設けられて当該管腔内の流体の物理量を計測するセンサの制御回路であって、
上記センサに駆動電流を供給する駆動回路と、
漏れ電流を検出し、検出した漏れ電流に応じた出力を行う漏電検知回路と、
を備えた制御回路。
【請求項１６】
上記漏電検知回路は、閾値を超える漏れ電流を検出したことに応じて検知信号を出力するものであり、
上記検知信号により、上記センサへの駆動電流の供給を停止させる停止回路をさらに備えた請求項１５に記載の制御回路。
【請求項１７】
上記漏電検知回路から上記停止回路への上記検知信号の入力をオンオフする機能スイッチをさらに備えた請求項１６に記載の制御回路。
【請求項１８】
上記漏電検知回路は、
所定電流と上記センサからの帰還電流との差に応じた値を漏れ電流として検出する第１検知回路と、上記流体とアースとの間の電流を漏れ電流として検出する第２検知回路とのうち、少なくともいずれか一方を有しており、
上記所定電流は、上記センサの駆動電流に応じた電流または定電流である請求項１５から１７のいずれかに記載の制御回路。
【請求項１９】
上記駆動回路は、上記センサに定電流を供給する定電流回路を有しており、
上記第１検知回路は、
上記センサからの帰還電流を電圧に変換する第１シャント抵抗と、
上記第１シャント抵抗の出力電圧に応じた電圧が、上記定電流回路から上記センサに供給される駆動電流に応じた電圧より大きいことに応じて第１検知信号を出力する第１コンパレータと、を備えたものであり、
上記第２検知回路は、
上記流体に接触可能に配置された検知電極とアースとの間に接続された第２シャント抵抗と、
上記第２シャント抵抗の出力電圧に応じた電圧が、上記定電流回路から上記センサに供給される駆動電流に応じた電圧より大きいことに応じて第２検知信号を出力する第２コンパレータと、を備えたものである請求項１８に記載の制御回路。
【請求項２０】
上記センサに設けられた検知体からの入力を受ける温度補償用回路をさらに備える請求項１５から１９のいずれかに記載の制御回路。
【請求項２１】
請求項１５から２０のいずれかに記載の制御回路と、上記センサと、を備えた計測装置。
【請求項２２】
上記センサは、熱線流速計である請求項２１に記載の計測装置。
【発明の詳細な説明】
【技術分野】
【０００１】
本発明は、血管内において血液に関する物理量を計測する血液計測装置に関する。
また、本発明は、管腔に挿入可能な長尺部材に設けられて当該管腔内の流体の流速を計測するセンサの制御回路、および計測装置に関する。
【背景技術】
【０００２】
冠動脈における狭窄病変の治療方針を決定するための指標の一つとして、冠血流予備能（ＣＦＲ）がある。ＣＦＲとは、心筋酸素消費量の増大に応じて冠血流量を増大させ得る能力を表す指標であり、最大充血時の冠血流量と安静時の冠血流量との比で求められる。このＣＦＲの低下が冠循環から見た心筋虚血の発生機序と考えられている。また、冠動脈径が変化しない場合には、冠動脈血流量と冠動脈血流速とは直線相関することから、ＣＦＲは、最大冠動脈血流速と安静時冠動脈血流速との比として求められる。【０００３】
ＣＦＲは、健常例では、３．０〜４．０程度であるが、径狭窄率（％ＤＳ）が７５％以上の有意狭窄では２．０未満となる。また、ＣＦＲが冠動脈に有意狭窄がなくても、冠最小動脈障害でも低下することが報告されており、単なる冠動脈の径狭窄率評価ではなく、冠微小循環を含めた冠循環の総合的な指標として用いられている。【０００４】
特許文献１には、温度感知部材を有する圧力センサが先端部に設けられたガイドワイヤが開示されている。圧力センサは、開口部を有するステンレス外套管内に設けられており、圧力センサにおける温度感知部材が開口部を介してステンレス外套管から露出している。温度感知部材は、開口部を介して接触する血流の質量流量の変化に伴う温度変化に対応した信号を出力する。特許文献１には、温度感知部材の出力信号のみに基づいて、ＣＦＲの演算が可能であることが記載されている。【０００５】
特許文献２には、圧力センサ、流量センサ等のセンサを有するガイドワイヤ組立体が開示されている。このガイドワイヤ組立体は、管状のシャフトを有し、シャフトの遠位側の端部にセンサエレメントが設けられている。シャフトの内部には、コアワイヤが挿通されている。コアワイヤの先端部が、センサエレメント内に挿入されている。センサは、センサエレメント内に位置するコアワイヤ部分に搭載されている。センサには、外部機器との間での信号の送受信等のためのケーブルが接続されている。ケーブルは、シャフトの内部を、コアワイヤに沿って挿通されている。【０００６】
センサによって血管内の血圧等を測定する場合には、センサエレメントを先頭として、ガイドワイヤ組立体が血管内に挿入される。センサエレメントは、シャフトの近位側の端部に加えられた推進力により血管内を推進される。また、シャフトにおける近位側の端部に対して軸線周りの回転力が加えられると、この回転力が、シャフトを介してセンサエレメントに伝達される。これにより、センサエレメントは、軸線周りに回動される。
【先行技術文献】
【特許文献】
【０００７】
【特許文献１】特表２００１−５０４２４９号公報
【特許文献２】特表２００７−２９６３５４号公報
【発明の概要】
【発明が解決しようとする課題】
【０００８】
前述されたセンサを有するガイドワイヤにおいては、小径な冠動脈にも挿入できるように、小型化ないし細経化の要請がある。特許文献２に開示されたガイドワイヤ組立体では、シャフト内に、コアワイヤとともにケーブルが挿通される空間が必要になる。しかしながら、シャフトは、血管内に挿入可能な外径とされるために、シャフトの外径を大きくすることには限界がある。このため、所定の外径を有するシャフト内に、コアワイヤとともにケーブルが挿通される空間を確保する場合、シャフトにおける周面部の厚み（肉厚）を薄くしなければならない。【０００９】
シャフトの肉厚が薄くなると、シャフトの曲げ剛性が小さくなる。曲げ剛性の小さなシャフトは、血管内を推進する際に、血管との摩擦力等の抵抗力によってシャフトが湾曲しやすくなる。これにより、血管内におけるセンサエレメントの推進性が損なわれるおそれがある。また、シャフトの肉厚が薄い場合、シャフトの近位側端部に付与された回転力は、シャフトの周面部が捻れた状態に変位しやすい。このために、回転力の伝達性が低下するおそれもある。【００１０】
本発明は、前述された事情に鑑みてなされたものであり、その目的は、曲げ剛性が大きく血管内における推進性及び回転力の伝達性に優れた血液計測装置を提供することにある。【００１１】
また、本発明の他の目的は、管腔内の流体の流速を計測する小型のセンサの安全な制御回路を提供することにある。
【課題を解決するための手段】
【００１２】
(1)  本発明に係る血液計測装置は、可撓性を有する管状のシャフトと、上記シャフトの遠位端に同軸に位置し、その内径が上記シャフトの内径より大きい管状の連結部と、上記連結部の内外を連通する通路と、上記連結部の遠位端に同軸に連結された可橈性を有する管状の先端ガイド部と、上記連結部内に嵌め込まれており、上記先端ガイド部の内部空間を遠位端へ延びて上記先端ガイド部と接続された可撓性を有する芯材と、上記先端ガイド部の内部空間に位置しており、血液の物理量を計測する計測素子と、上記計測素子から延出されて上記通路を通じて上記シャフトの内部空間に挿通された信号線と、を具備する。【００１３】
この血液計測装置では、先端ガイド部の曲げ剛性は芯材によって確保される。また、シャフトにおける周面部の厚み（肉厚）を厚くすることが可能であることから、シャフトの周面部の厚みによって、シャフトの曲げ剛性を確保することができる。さらに、シャフトの周面部の厚みによって、シャフトに加えられる推進力及び回転力を効率よく先端ガイド部に伝達することができる。しかも、連結部によって芯材が支持された状態であっても、信号線は通路を通じて連結部の内部に挿通される。【００１４】
(2)  好ましくは、上記連結部は、上記シャフトの遠位端に一体に形成されたものである。【００１５】
(3)  好ましくは、上記通路は、上記連結部において軸線方向へ延びるスリットである。【００１６】
(4)  好ましくは、上記通路は、上記芯材の近位端において軸線方向へ延びる溝である。【００１７】
(5)  好ましくは、上記連結部は、その外径が上記シャフトの近位端の外径より小さいものであり、上記血液計測装置は、上記連結部に外嵌された管状のカバー部材を更に具備する。【００１８】
カバー部材により、連結部と芯材との接続箇所が補強される。【００１９】
(6)  好ましくは、上記芯材の近位端は、上記通路の近位端と遠位端との間に位置する。【００２０】
上記構成によれば、芯材の近位端と信号線とが接触し難くなる。【００２１】
(7)  好ましくは、上記連結部は、上記シャフトの遠位端に同軸に連結された管状の本体部と、当該本体部内の遠位端に位置して上記芯材が嵌め込まれた管状の支持部と、を有するものである。【００２２】
(8)  好ましくは、上記通路は、上記支持部において軸線方向へ延びるスリットである。【００２３】
(9)  好ましくは、上記通路は、上記芯材の近位端において軸線方向へ延びる溝である。【００２４】
(10)  好ましくは、上記支持部の近位端は、上記本体部の近位端と遠位端との間に位置する。【００２５】
上記構成によれば、シャフトの近位端と信号線とが接触し難くなる。【００２６】
(11)  好ましくは、上記シャフトの内部空間の内径は、上記芯材の近位端の外径よりも小さい。【００２７】
(12)  好ましくは、上記先端ガイド部は、線材が螺旋形状に巻かれたコイル体と、遠位端に位置する先端部材と、を有しており、上記芯材は、上記先端部材に連結されたものである。【００２８】
上記構成によれば、先端ガイド部が好適な曲げ剛性となる。【００２９】
(13)  好ましくは、上記計測素子は、血液の圧力を計測するものである。【００３０】
(14)  好ましくは、上記計測素子は、血液の流速を計測するものである。【００３１】
(15)  本発明の制御回路は、管腔に挿入可能な長尺部材に設けられて当該管腔内の流体の物理量を計測するセンサの制御回路である。当該制御回路は、上記センサに駆動電流を供給する駆動回路と、漏れ電流を検出し、検出した漏れ電流に応じた出力を行う漏電検知回路と、を備える。【００３２】
センサは、長尺部材とともに管腔に挿入される。センサは、管腔の任意の位置において、管腔を流れる流体の流速を計測する。その計測の際、漏電検知回路は、漏れ電流を検出する。漏れ電流が検出されることにより、例えば、センサの駆動が停止されたり、電源がオフされたり、漏れ電流がモニタリングされたり、警告報知がされたりする。【００３３】
(16)  好ましくは、上記漏電検知回路は、閾値を超える漏れ電流を検出したことに応じて検知信号を出力するものであり、上記検知信号により、上記センサへの駆動電流の供給を停止させる停止回路が本発明の制御回路にさらに設けられていてもよい。【００３４】
閾値を超える漏れ電流が生じると、駆動回路からセンサへの電流供給が自動的に停止され、流体への電流の漏れが停止する。【００３５】
(17)  好ましくは、本発明の制御回路は、上記漏電検知回路から上記停止回路への上記検知信号の入力をオンオフする機能スイッチをさらに備えていてもよい。【００３６】
センサの駆動を停止させることが適当でないときは、機能スイッチをオフにすることにより、センサの駆動を維持または再開することができる。【００３７】
(18)  好ましくは、上記漏電検知回路は、所定電流と上記センサからの帰還電流との差に応じた値を漏れ電流として検出する第１検知回路と、上記流体とアースとの間の電流を漏れ電流として検出する第２検知回路とのうち、少なくともいずれか一方を有していてもよい。上記所定電流は、上記センサの駆動電流に応じた電流または定電流である。【００３８】
第１検知回路は、所定電流と帰還電流との差に応じた値を漏れ電流として検出する。すなわち、第１検知回路は、センサから漏れる電流を検出する。第２検知回路は、流体とアースとの間の電流を漏れ電流として検出する。すなわち、第２検知回路は、センサのみならず、長尺部材全体から流体への漏れ電流を検出する。【００３９】
(19)  好ましくは、上記駆動回路は、上記流速計に定電流を供給する定電流回路を有しており、上記第１検知回路は、上記流速計からの帰還電流を電圧に変換する第１シャント抵抗と、上記第１シャント抵抗の出力電圧に応じた電圧が、上記定電流回路から上記流速計に供給される駆動電流に応じた電圧より大きいことに応じて第１検知信号を出力する第１コンパレータと、を備えたものであり、上記第２検知回路は、上記流体に接触可能に配置された検知電極とアースとの間に接続された第２シャント抵抗と、上記第２シャント抵抗の出力電圧に応じた電圧が、上記定電流回路から上記センサに供給される駆動電流に応じた電圧より大きいことに応じて第２検知信号を出力する第２コンパレータと、を備えたものであってもよい。【００４０】
(20)  好ましくは、本発明の制御回路に、上記センサに設けられた検知体からの入力を受ける温度補償用回路がさらに設けられていてもよい。【００４１】
検知体は、例えば、熱電対や、センサでの温度変化による出力変化に応じた出力を行う部材である。温度補償用回路により、計測した流速の補正を行うことができる。また、このような検知体から漏れ電流が生じたとしても、漏電検知回路により、速やかに漏電を検出することができる。【００４２】
(21)  本発明は、上記制御回路と、上記センサと、を備えた計測装置として捉えることもできる。【００４３】
(22)  好ましくは、上記センサは、熱線流速計であってもよい。
【発明の効果】
【００４４】
本発明によれば、曲げ剛性が大きく血管内における推進性及び回転力の伝達性に優れた血液計測装置が提供される。【００４５】
また、本発明によれば、管腔を流れる流体の流速を計測する小型かつ細経の計測装置が、漏れ電流に対する安全機能を備えた状態で実現される。
【図面の簡単な説明】
【００４６】
【図１】図１は、本発明の第１実施形態に係る血液計測装置５０の構成を示す模式図である。
【図２】図２は、図１に示された血液計測装置５０の一部を破断して示す平面図である。
【図３】図３は、連結部１２付近の斜視図である。
【図４】図４（Ａ）は、図１のＡ−Ａ線における断面図、図４（Ｂ）は、図１のＢ−Ｂ線における断面図、図４（Ｃ）は、図１のＣ−Ｃ線における断面図である。
【図５】図５は、先端ガイド部２０と、シャフト１０及びカバー部材１５との分解図である。
【図６】図６は、本発明の第２実施形態に係る血液計測装置５０の一部を破断して示す平面図である。
【図７】図７は、連結部材３０の斜視図である。
【図８】図８（Ａ）は、血液計測装置５０の分解図、図８（Ｂ）は、相互に連結された連結部材３０及び先端ガイド部２０と、シャフト１０との分解図である。
【図９】図９は、計測装置１００を示す全体構成図である。
【図１０】図１０は、ガイドワイヤ１３０の断面図である。
【図１１】図１１は、センサ１３３の斜視図である。
【図１２】図１２は、計測装置１００の機能ブロック図である。
【図１３】図１３は、駆動回路１５２の回路図である。
【図１４】図１４は、第１出力回路１５３の回路図である。
【図１５】図１５は、第２出力回路１５４の回路図である。
【図１６】図１６は、漏電検知回路１５６の回路図である。
【図１７】図１７は、停止回路１５７の回路図である。
【発明を実施するための形態】
【００４７】
以下、本発明の好ましい実施形態を説明する。なお、本実施形態は、本発明の一実施態様にすぎず、本発明の要旨を変更しない範囲で実施態様を変更できることは言うまでもない。
【００４８】
［第１実施形態］
以下、本発明の第１実施形態が説明される。図１に示される血液計測装置５０は、例えば、生体の血管内における血圧等の物理量の計測に使用される。血液計測装置５０は、管状のシャフト１０と、シャフト１０の遠位端（先端に相当）に設けられた管状の先端ガイド部２０と、を有する。先端ガイド部２０には、血管内において血液の圧力を測定する計測素子２７（図２参照）が設けられている。シャフト１０の近位端（基端に相当）は、外部装置としての制御装置４０に接続されている。制御装置４０は、計測素子２７に供給される電力の制御、計測素子２７から送信される信号の処理等を実行する。
【００４９】
シャフト１０は可撓性を有する管体である。シャフト１０は、血管の所望の位置の血圧を測定するに適した長さであり、例えば１〜２ｍ程度である。シャフト１０は、例えば、医療用のステンレス鋼により形成される。シャフト１０の外径は、挿入すべき血管の太さに合わせて設定されており、例えば十分の数ミリメートルである。
【００５０】
図２に示されるように、シャフト１０は、シャフト本体部１１と、シャフト本体部１１の遠位端に形成された連結部１２と、を有する。シャフト本体部１１は、軸線方向に渡ってほぼ一定の外径の管体である。シャフト本体部１１の内部空間１３Ａも軸線方向に渡って一定の内径である。連結部１２は、シャフト本体部１１の遠位端から軸線方向へ突出している。連結部１２は、シャフト本体部１１と一体かつ同軸に形成されている。「同軸」とは、連結部１２の軸線と、シャフト本体部１１の軸線とが同一仮想直線上に位置することをいう。なお、以下においても、「同軸」とは、それぞれが円筒形状に構成された一対の部材のそれぞれの軸線が同一仮想直線上に位置する状態をいうものとする。
【００５１】
連結部１２はほぼ一定の外径の管体である。連結部１２の外径は、シャフト本体部１１の外径より小さい。連結部１２の内径は、シャフト本体部１１の内径より大きい。シャフト本体部１１の内部空間１３Ａと、連結部１２の内部空間１３Ｂとは、連通されている。シャフト本体部１１の内部空間１３Ａの内径は、挿通される４本の信号線２５が束ねられた状態における外径と、シャフト本体部１１に要する肉厚と、を考慮して設定される。
【００５２】
図３及び図４（Ｂ）に示されるように、連結部１２の断面はＣ字形状である。Ｃ字形状の開口部分が軸線方向に連続することによって、連結部１２の遠位端から近位端へ向かって軸線方向に沿って延びるスリット１４が形成されている。スリット１４は、連結部１２の外周に対して３分の１程度の範囲を占める。
【００５３】
連結部１２の内部空間１３Ｂには、芯材２６が挿入されている。芯材２６は、可撓性を有する線材であり、例えばステンレス鋼により形成される。芯材２６は、近位端から遠位端へ向かって外径がテーパ形状に縮径されている。なお、芯材２６のテーパ形状は、近位端から遠位端に渡って全体に形成されている必要はなく、近位端から遠位端までの一部分にのみ形成されていてもよい。
【００５４】
芯材２６は、連結部１２の内部空間１３Ｂから遠位端へ向かって延出して、先端ガイド部２０の内部に挿通されている。芯材２６の近位端は、連結部１２のスリット１４の近位端と遠位端との間に位置する。芯材２６の近位端付近の外径は、連結部１２の内部空間１３Ｂの内径と同等である。芯材２６の近位端付近は、連結部１２の内部空間１３Ｂに嵌め込まれて接着されている。芯材２６の近位端付近の外径は、シャフト本体部１１の内部空間１３Ａの内径よりも大きい。
【００５５】
図１及び図２に示されるように、カバー部材１５は、軸線方向に渡って一定の外径及び一定の内径を有する管体である。カバー部材１５は、例えばステンレス鋼やポリイミドなどの樹脂から形成される。カバー部材１５の外径は、シャフト１０におけるシャフト本体部１１の外径と同等である。カバー部材１５の内径は、シャフト１０における連結部１２の外径と同等である。カバー部材１５の軸線方向に沿った寸法は、連結部１２の軸線方向に沿った寸法より短い。したがって、カバー部材１５は、シャフト１０の連結部１２に外嵌された状態において、連結部１２の遠位端は、カバー部材１５の外方へ突出する。
【００５６】
図２に示されるように、先端ガイド部２０は、連結部１２の遠位端に連結された第１コイル体２１と、第１コイル体２１の遠位端に連結された素子保持体２２と、素子保持体２２の遠位端に連結された第２コイル体２３と、第２コイル体２３の遠位端に設けられた先端部材２４とを有する。なお、図２においては、素子保持体２２と、第１コイル体２１の遠位端部と、第２コイル体２３の近位端部とを除いて、縦断面図で示されている。このため、素子保持体２２は平面図で示されている。
【００５７】
第１コイル体２１は、例えば直径が一定のステンレス鋼からなる線材が、一定の直径の螺旋形状に巻かれたものである。第１コイル体２１の近位端は、連結部１２の遠位端の外側に嵌合されている。第１コイル体２１の外径は、カバー部材１５の外径と同等である。第１コイル体２１の内部空間２１Ａには、軸線方向に沿って芯材２６及び４本の信号線２５が挿通されている。従って、第１コイル体２１の内径は、芯材２６の外径より十分に大きい。
【００５８】
図２及び図４に示されるように、素子保持体２２は、計測素子２７を保持するものである。素子保持体２２は、円筒形状であり、例えばステンレス鋼によって形成されている。素子保持体２２は、第１コイル体２１の遠位端に同軸に連結されている。図４（Ａ）に示されるように、素子保持体２２の内部空間２２Ｄには、軸線方向に沿って芯材２６が挿通されている。素子保持体２２の周壁の一部には、開口部２２Ａが設けられている。また、素子保持体２２の内部空間２２Ｄには、計測素子２７が搭載される支持プレート２２Ｂが設けられている。支持プレート２２Ｂは、素子保持体２２の内部空間２２Ｄに挿通された芯材２６と、開口部２２Ａとの間に配置されている。支持プレート２２Ｂは平板形状であり、最大面となる表裏面の一方が開口部２２Ａに対向している。計測素子２７は、例えば圧力センサである。計測素子２７は、開口部２２Ａに対向する支持プレート２２Ｂの表裏面の一方に搭載されている。
【００５９】
計測素子２７は、圧力センサとして公知の構成が採用される。例えば、計測素子２７は、圧力によって撓み、その撓み量に応じた電気信号を出力するダイアフラムを有している。計測素子２７には、例えば４本の信号線２５が接続されている。４本の信号線は、ダイアフラムへの電力の供給や、ダイアフラムからの出力信号の伝達などに使用される。４本の信号線２５は、素子保持体２２の内部空間２２Ｄにおいて、計測素子２７から近位側に延出されている。４本の信号線２５は、導線が外部被覆材によって絶縁被覆されている。
【００６０】
図２に示されるように、各信号線２５は、素子保持体２２の内部を挿通されて、第１コイル体２１の内部を軸線方向に沿って挿通されている。また、４本の信号線２５は、連結部１２のスリット１４を通じて連結部１２の内部空間１３Ｂに至っている。４本の信号線２５は、連結部１２の内部空間１３Ｂからシャフト本体部１１の内部空間１３Ａを軸線方向に沿って挿通され、制御装置４０に電気的に接続されている。
【００６１】
第２コイル体２３は、例えば直径が一定のステンレス鋼からなる線材が、一定の直径の螺旋形状に巻かれたものである。第２コイル体２３の近位端は、素子保持体２２の遠位端に、同軸に連結されている。第２コイル体２３の内部には、芯材２６が軸線方向に沿って挿通されている。
【００６２】
先端部材２４は、例えばステンレス鋼によって半球形状に形成されている。先端部材２４は、第２コイル体２３の遠位端に取り付けられている。先端部材２４には、第２コイル体２３の内部を挿通された芯材２６の先端が連結されている。
【００６３】
［血液計測装置５０の組み立て方法］
血液計測装置５０は、先端ガイド部２０及び芯材２６が予め組み立てられ、また、カバー部材１５がシャフト１０の連結部１２に外嵌され、これらが連結されることによって組み立てられる。
【００６４】
先端ガイド部２０は、図５に示されるように、第１コイル体２１と、素子保持体２２と、第２コイル体２３と、先端部材２４と、芯材２６とが一体に組み立てられてなる。なお、先端ガイド部２０が、その他の構成部材を有する場合には、その他の構成部材も一体に組み立てられる。組み立てられた先端ガイド部２０は、芯材２６が、第１コイル体２１の近位端から外部に延出されている。また、４本の信号線２５も、第１コイル体２１の近位端から外部に延出されている。また、カバー部材１５がシャフト１０の連結部１２に外嵌される。
【００６５】
先端ガイド部２０と、シャフト１０及びカバー部材１５とが結合されるに際して、先端ガイド部２０から延出している４本の信号線２５が、連結部１２のスリット１４を通じて内部空間１３Ｂへ進入され、さらにシャフト本体部１１の内部空間１３Ａへ挿通される。そして、先端ガイド部２０から延出している芯材２６が、連結部１２の内部空間１３Ｂに挿入されて嵌め込まれる。芯材２６の近位端は、スリット１４の近位端と遠位端との間に位置され、芯材２６によって塞がれていないスリット１４を通じて、信号線２５が連結部１２の内外へ延びている。芯材２６と連結部１２とは、接着剤などによって接着される。また、第１コイル体２１の近位端が、カバー部材１５の遠位端の外側に嵌合される。第１コイル体２１、連結部１２、及びカバー部材１５とは、接着剤によって接着される。これにより、血液計測装置５０が組み立てられる。
【００６６】
［第１実施形態の作用効果］
血液計測装置５０は、例えば、冠動脈内の所定位置における血圧の変化を測定するために使用される。この場合、血液計測装置５０は、先端部材２４を先頭として、血管内に挿入される。血管内に挿入された血液計測装置５０は、シャフト１０の近位側の端部に、遠位端に向かう力（推進力）が加えられて、血管内を推進される。また、シャフト１０の近位側の端部が軸線周りに回転操作されることにより、血管内に挿入された先端部材２４が所定方向に向けられる。
【００６７】
なお、血管内における先端部材２４の位置は、血管のＸ線透過画像における先端部材２４の位置に基づいて把握できる。
【００６８】
先端部材２４が血管内を推進されることにより、素子保持体２２は、血管内における所定部位に位置される。このような状態で、シャフト本体部１１の近位側の端部が、軸線周りに回転操作されると、シャフト本体部１１に付与された回転力が、連結部１２を介して、先端ガイド部２０に伝達される。これにより、先端ガイド部２０が軸線周りに回転される。
【００６９】
この場合、シャフト本体部１１の内部空間１３Ａには信号線２５のみを挿通すればよいので、シャフト本体部１１の肉厚を厚くすることができる。これにより、シャフト本体部１１に付与された回転力によってシャフト本体部１１に捻れが生じ難くなる。これにより、シャフト本体部１１に付与された回転が、効率よく先端ガイド部２０に伝達される。
【００７０】
また、本実施形態の血液計測装置５０は、シャフト本体部１１、連結部１２、先端ガイド部２０の全てが、同軸に構成されている。これにより、シャフト本体部１１、連結部１２、先端ガイド部２０全体の回転力伝達性が一層向上する。その結果、シャフト本体部１１に付与される回転力に追従して先端ガイド部２０が効率よく回転し、先端ガイド部２０の回転追従性が向上する。
【００７１】
素子保持体２２の開口部２２Ａは、先端ガイド部２０の回転によって、所定方向に向けられる。これにより、計測素子２７の検知面も、開口部２２Ａが向けられた方向と同じ方向に向けられる。このような状態で、血管内を流れる血液の血圧が計測素子２７によって計測される。素子保持体２２の開口部２２Ａから、血液が素子保持体２２の内部に流入すると、計測素子２７の検知面に血液が当接する。これにより、計測素子２７は血液の圧力を検知して、所定の信号を、信号線２５を介して制御装置４０に出力する。制御装置４０は、計測素子２７から送信された信号に基づいて、血圧を演算する。
【００７２】
また、シャフト１０の連結部１２には、カバー部材１５が外嵌されているので、連結部１２と芯材２６との接続箇所が曲げられたとしても、連結部１２や芯材２６に折れなどが生じ難い。
【００７３】
また、芯材２６の近位端は、スリット１４の近位端と遠位端との間に位置するので、スリット１４において信号線２５が移動可能なスペースが形成される。これにより、連結部１２と芯材２６との接続箇所が曲げられたとしても、芯材２６の近位端と信号線２５とが接触し難くなる。
【００７４】
［第２実施形態］
以下、本発明の第２実施形態が説明される。前述された第１実施形態では、連結部１２がシャフト本体部１１と一体に形成されていたが、本発明の連結部は、シャフト１０とは別体の部材として構成されてもよい。なお、以下の説明において、第１実施形態と同じ参照符号を付したものは、同様の部材を指すものとする。
【００７５】
図６に示されるように、シャフト６０は、シャフト本体部６１と、シャフト本体部６１の遠位端に形成されたボス部６２と、を有する。シャフト本体部６１は、軸線方向に渡ってほぼ一定の外径の管体である。シャフト本体部６１の内部空間６３Ａは軸線方向に渡って一定の内径である。ボス部６２は、シャフト本体部６１の遠位端から軸線方向へ突出している。ボス部６２は、シャフト本体部６１と一体に形成されている。したがって、シャフト本体部６１の内部空間６３Ａと、ボス部６２の内部空間６３Ｂとは、同じ内径である。内部空間６３Ａ，６３Ｂの内径は、挿通される４本の信号線２５が束ねられた状態における外径と、シャフト本体部６１に要する肉厚と、を考慮して設定される。
【００７６】
図７に示されるように、連結部材３０（連結部の一例）は、概ね円筒形状の連結本体部３１及び支持部３２を有する。本実施形態では、連結本体部３１及び支持部３２は、それぞれ独立した別個の部材として構成されている。支持部３２が連結本体部３１の遠位端に内挿されて連結本体部３１と接着されることにより、連結本体部３１及び支持部３２が一体となっている。
【００７７】
連結本体部３１は、軸線方向に渡って一定の外径及び一定の内径を有する管体である。連結本体部３１は、例えばステンレス鋼やポリイミドなどの樹脂から形成される。連結本体部３１の外径は、シャフト６０におけるシャフト本体部６１の外径と同等である。連結本体部３１の内径は、シャフト６０におけるボス部６２の外径と同等である。連結本体部３１における近位端は、シャフト６０のボス部６２に嵌合されて、シャフト６０に同軸に連結されている。連結本体部３１の外径は、第１コイル体２１の外径と同等である。
【００７８】
支持部３２は、断面Ｃ字形状である。断面Ｃ字形状の開口部分が軸線方向に連続することによって、支持部３２の近位端及び遠位端にわたって軸線方向に沿って延びるスリット３２Ａが形成されている。支持部３２は、例えばステンレス鋼によって形成される。
【００７９】
支持部３２のスリット３２Ａは、支持部３２の外周に対して３分の１程度の範囲を占める。支持部３２の内部空間３２Ｂは、後述される芯材２６の近位端付近の外径と同等である。支持部３２の外径は、連結本体部３１の内径と同等である。支持部３２の軸線方向に沿った長さは、連結本体部３１の軸線方向に沿った長さの半分程度である。
【００８０】
図６に示されるように、支持部３２の遠位端付近は、連結本体部３１の遠位端から突出している。支持部３２の近位端は、連結本体部３１の内部空間３１Ａに位置しており、連結本体部３１の近位端には到達していない。換言すれば、支持部３２の近位端は、連結本体部３１において、近位端より遠位端側に位置している。したがって、連結本体部３１の内部空間３１Ａの近位端付近には、支持部３２が存在しない空間が存在する。
【００８１】
支持部３２の内部空間３２Ｂには、芯材２６が挿入されている。芯材２６の近位端は、支持部３２の近位端とほぼ同じ位置である。芯材２６の近位端付近の外径は、支持部３２の内部空間３２Ｂの内径と同等である。芯材２６の近位端付近は、支持部３２の内部空間３２Ｂに挿通されて接着されることにより、支持部３２と一体になっている。芯材２６の近位端付近の外径は、シャフト１０におけるボス部１２の内部空間１３Ｂにおける遠位端の直径よりも大きい。
【００８２】
［血液計測装置５０の組み立て方法］
血液計測装置５０は、予め組み立てられた先端ガイド部２０に対して、連結部材３０が連結された後に、連結部材３０がシャフト６０に連結されることによって組み立てられる。
【００８３】
先端ガイド部２０は、図８（Ａ）に示されるように、第１コイル体２１と、素子保持体２２と、第２コイル体２３と、先端部材２４と、芯材２６とが一体に組み立てられてなる。なお、先端ガイド部２０が、その他の構成部材を有する場合には、その他の構成部材も一体に組み立てられる。組み立てられた先端ガイド部２０は、芯材２６が、第１コイル体２１の近位端から外部に延出されている。また、４本の信号線２５も、第１コイル体２１の近位端から外部に延出されている。
【００８４】
先端ガイド部２０と連結部材３０とが結合されるに際して、先端ガイド部２０から延出している４本の信号線２５が、支持部３２のスリット３２Ａ内及び連結本体部３１の内部空間３１Ａ内に挿通されて、連結本体部３１の近位端から外部に延出した状態とされる。そして、先端ガイド部２０から延出している芯材２６が、連結部材３０の支持部３２の内部空間３２Ｂに挿入される。芯材２６と支持部３２とは、接着剤などによって接着される。また、第１コイル体２１の近位端が、支持部３２の遠位端の外側に嵌合される。第１コイル体２１と、支持部３２及び連結本体部３１とは、接着剤によって接着される。
【００８５】
図８（Ｂ）に示されるように、連結部材３０の連結本体部３１から延出している４本の信号線２５は、シャフト６０におけるシャフト本体部６１の内部空間６３Ａ及びボス部６２の内部空間６３Ｂに挿通されて、シャフト６０における近位端から外部に延出される。そして、連結本体部３１の近位端が、シャフト６０におけるボス部６２の外側に嵌合される。連結本体部３１とボス部６２とは、接着剤によって接着される。これにより、血液計測装置５０が組み立てられる。
【００８６】
［第２実施形態の作用効果］
前述された第２実施形態によっても、第１実施形態と同様の作用効果が奏される。
【００８７】
また、連結部材３０の支持部３２には、連結本体部３１が外嵌されているので、支持部３２と芯材２６との接続箇所が曲げられたとしても、支持部３２や芯材２６に折れなどが生じ難い。
【００８８】
また、連結部材３０において支持部３２が連結本体部３１の遠位端側に位置しているので、連結部材３０の近位端側において信号線２５が移動可能なスペースが形成される。これにより、連結部材３０が曲げられたとしても、芯材２６の近位端と信号線２５とが接触し難くなる。
【００８９】
なお、芯材２６の近位端は、連結部材３０における連結本体部３１の近位端よりも遠位側に位置していればよい。したがって、芯材２６の近位端は、連結本体部３１の内部空間３１Ａ内に位置する構成に限らず、支持部３２の内部空間３２Ｂ内に位置する構成であってもよい。
【００９０】
また、連結部材３０は、連結本体部３１及び支持部３２が、それぞれ個別に構成されて、連結本体部３１に支持部３２が内挿される構成でなくてもよい。すなわち、連結本体部３１及び支持部３２が一体に成形される構成であってもよい。
【００９１】
［第１実施形態及び第２実施形態の変形例］
前述された実施形態では、本発明に係る通路が、連結部１２に形成されたスリット１４、または支持部３２に形成されたスリット３２Ａにより形成されているが、これに代えて、例えば、芯材２６の近位端の外周面において、軸線方向に延びる溝が形成され、この溝の内部空間が信号線２５が挿通される通路とされてもよい。また、スリットや溝は一つに限らず、複数が形成されて、各信号線２５が分かれて挿通されてもよい。
【００９２】
また、素子保持体２２に保持される計測素子２７は、圧力センサに限らず、血管内において血液の物理量を測定できるものであればよい。計測素子２７は、例えば、血管内の血液の流速を計測する流速センサ、血管内の血流の流量を測定する流量センサ、血液の温度を測定する温度センサ等であってもよい。計測素子２７に接続される信号線の本数も４本に限らず、２本、３本、あるいは５本以上であってもよい。
【００９３】
また、計測素子２７は、血液の物理量に関する情報を電気的に計測する構成に限らず、光学的に計測する構成であってもよい。この場合には、信号線２５として、光ファイバが使用される。
【００９４】
また、上記実施形態では、先端ガイド部２０は、第１コイル体２１及び第２コイル体２３と２つのコイル体を有し、素子保持体２２に計測素子２７が設けられ、第２コイル体２３の先端に先端部材２４が設けられる構成である。しかし、先端ガイド部２０は、実施形態に示された構成に限らず、先端ガイド部２０を、１つのコイル体と、このコイル体の先端に設けられた先端部材とによって構成して、コイル体の内部に計測素子２７が設けられる構成としてもよい。
【００９５】
さらに、血液計測装置５０は、ガイドワイヤとして使用される構成に限らず、カテーテルとして構成されてもよい。
【００９６】
［第３実施形態］
計測装置１００が図９に示される。計測装置１００は、ヒトの血管内を流れる血液の流速を計測する機器である。計測装置１００には、ＡＣ−ＤＣアダプタ１１１と、ケーブル１１３を介して、パーソナルコンピュータ１１２と、が接続されている。なお、血液の流速は、血液の物理量の一例である。
【００９７】
ＡＣ−ＤＣアダプタ１１１は、商用の交流電圧（例えばＡＣ１００Ｖ）を直流電圧（例えば、ＤＣ１５Ｖ）に変換して出力する変換器である。なお、ＡＣ−ＤＣアダプタ１１１は、計測装置１００内に組み込まれて計測装置１００の一部とされていてもよい。
【００９８】
パーソナルコンピュータ１１２には、解析ソフトがインストールされる。解析ソフトは、計測装置１００からパーソナルコンピュータ１１２に入力された信号を解析し、モニタに表示する。
【００９９】
計測装置１００は、ＡＣ−ＤＣアダプタ１１１及びパーソナルコンピュータ１１２が接続される本体１２０と、この本体１２０に接続されるガイドワイヤ１３０とを備える。ガイドワイヤ１３０は、長尺部材に相当する。
【０１００】
本体１２０は、ＡＣ−ＤＣアダプタ１１１からの電源入力をオンオフする電源スイッチ１２１と、ガイドワイヤ１３０が接続されるセンサコネクタ１２２と、機能スイッチ１２３とを正面側に備える。また、本体１２０は、ケーブル１１３との接続用の外部出力コネクタ１１５（図１２）と、ＡＣ−ＤＣアダプタ１１１が接続される電源コネクタ１１４（図１２）とを背面側に備える。また、本体１２０は、制御回路１５０（図１２）を筐体内に備える。制御回路１５０については後述される。  
【０１０１】
ガイドワイヤ１３０は、本体１２０のセンサコネクタ１２２と接続される接続コネクタ１３１と、接続コネクタ１３１から延びるシャフト１３２と、シャフト１３２の先端に配置されたセンサ１３３とを備える。ガイドワイヤ１３０は、例えば、計測（施術）ごとに、本体１２０に取り付けられる。なお、上述の「先端」とは、接続コネクタ１３１が設けられた端（基端）とは反対側の端を意味する。
【０１０２】
シャフト１３２は、ヒトの血管に挿入可能な太さであって、かつ手足などの挿入部位から胸部などの計測部位まで先端が到達できる程度の長さを有する。シャフト１３２は、例えばステンレス綱を螺旋状に巻回して形成されており、血管の湾曲に応じて撓み得る。
【０１０３】
図１０に示されるように、シャフト１３２は、円筒形状であり、中空である。中空のシャフト１３２内には、線状のコアワイヤ１３５（図１１）と、複数本の導線１３６と、熱電対１３７とが配置されている。熱電対１３７は、検知体に相当する。
【０１０４】
導線１３６及び熱電対１３７の一端（基端）は、接続コネクタ１３１（図９）の端子と接続されている。導線１３６及び熱電対１３７は、接続コネクタ１３１及びセンサコネクタ１２２を介して制御回路１５０（図１２）と電気的に接続されている。導線１３６及び熱電対１３７の他端（先端）は、ガイドワイヤ１３０の先端まで延びており、センサ１３３と接続されている。
【０１０５】
センサ１３３は、ホルダ１４１と、ホルダ１４１に保持されたボビン１４２と、ボビン１４２に巻回されたヒータ１４３と、漏電検知用の検知電極１４４（図１１）とを備える。
【０１０６】
ホルダ１４１は、シャフト１３２とほぼ同径の円筒形状である。ホルダ１４１は、その軸線をシャフト１３２の軸線に一致させてシャフト１３２の先端に配置されている。ホルダ１４１は、接着剤などによってシャフト１３２に固着されている。
【０１０７】
ホルダ１４１は、周壁に開口１４５を有する。開口１４５は、ホルダ１４１の軸方向（図１０における左右方向）に沿って設けられている。この開口１４５を介してヒータ１４３が血流によって冷却され、流速が計測される。詳しくは後述される。
【０１０８】
ヒータ１４３が巻回されるボビン１４２は、ホルダ１４１内に配置されている。ボビン１４２は、円筒形状であり、その軸線をホルダ１４１の軸線と一致させてホルダ１４１内に配置されている。
【０１０９】
図１１に示されるように、ヒータ１４３は、ボビン１４２の外周面に螺旋状に巻回されている。ヒータ１４３は、例えば、ニッケル線や白金線などの抵抗線である。ヒータ１４３の一端（図１１における右端）は、一の導線１３６の先端と接続されている。ヒータ１４３の他端（図１１における左端）は、他の一の導線１３６の先端と接続されている。この他の一の導線１３６は、ボビン１４２内を通りボビン１４２の左端まで引き出され、ヒータ１４３の他端と接続されている。ヒータ１４３は、２本の導線１３６によって直流電流を供給され、発熱する。
【０１１０】
検知電極１４４は、センサ１３３から血液への漏れ電流を検出するための電極である。検知電極１４４は、開口１４５に臨む位置において、ボビン１４２の外周面上に配置されている。検知電極１４４には、ボビン１４２に固着された金属片や、ボビン１４２に蒸着等された金属箔を用いることができる。検知電極１４４は、ヒータ１４３に接続された導線１３６とは別の導線１３６の先端と接続されている。仮に、血液中に漏れ電流が生じた場合、この検知電極１４４により、当該漏れ電流が検出される。詳しくは後述される。
【０１１１】
この検知電極１４４とともに、ボビン１４２の外周面には、熱電対１３７の先端が取り付けられている。熱電対１３７の先端は、開口１４５に臨む位置に配置されている。したがって、熱電対１３７は、血液の温度に応じた電圧を出力可能である。この出力電圧は、流速の補正に用いられる。
【０１１２】
図１０に示されるように、ヒータ１４３及び熱電対１３７と血液との絶縁のため、また、ヒータ１４３及びボビン１４２の固定のため、ホルダ１４１内には、封止部材１４６が充填されている。封止部材１４６は、絶縁性の材料からなる。封止部材１４６の材料には、例えば、シリコン、エポキシ、ポリアミド、ポリイミド、高密度ポリエチレンなどが用いられる。なお、漏れ電流を検出できるように、検知電極１４４が封止部材１４６によって覆われない構成が採用される。例えば、検知電極１４４を露出させる開口や切欠きが封止部材１４６に設けられる。
【０１１３】
センサ１３３による流速の計測について説明がされる。２本の導線１３６を介して本体１２０からヒータ１４３に一定の直流電流（定電流）が供給される。そうすると、ヒータ１４３が発熱する。発熱により、ヒータ１４３の温度が上昇する。この温度上昇により、ヒータ１４３の抵抗値が変化する。つまり、直流電流の供給により、ヒータ１４３の抵抗値が変化する。この抵抗値の変化は、供給される直流電流の電流値に依存する。
【０１１４】
また、上述のように、ヒータ１４３は血流により冷却される。冷却されると、その冷却度合に応じてヒータ１４３の抵抗値が変化する。この冷却度合は、血流の流速に依存する。つまり、ヒータ１４３の抵抗値は、血液の流速にも依存する。
【０１１５】
このように、ヒータ１４３の抵抗値の変化は、供給される直流電流の電流値と、血液の流速とに依存する。供給される直流電流の電流値は既知（設定値）である。したがって、ヒータ１４３の電圧から上述の設定値の分を減ずれば、血流の流速に応じた電圧を得ることができる。この電圧から流速を算出することができる。このように、センサ１３３は、血液の流速を計測する熱線流速計である。
【０１１６】
ヒータ１４３への定電流の供給や、ヒータ１４３の電圧の検出や、熱電対１３７による血液の温度の検出や、漏れ電流の検出は、図１２に示される制御回路１５０によって行われる。
【０１１７】
制御回路１５０は、本体１２０内に配置された不図示のパターン回路基板と、この回路基板に実装された集積回路（ＩＣ）や抵抗やダイオードやコンデンサやトランジスタなどの種々の電子部品と、により実現される。なお、単一の回路基板が用いられてもよいし、リード線により相互に接続された複数の回路基板が用いられてもよい。
【０１１８】
制御回路１５０は、電源回路１５１と、駆動回路１５２と、ヒータ電圧を出力する第１出力回路１５３と、流速を出力する第２出力回路１５４と、温度補償用回路１５５と、漏電検知回路１５６と、停止回路１５７とを備える。
【０１１９】
電源回路１５１は、一定の電圧値の直流電圧を、他の一定の電圧値の直流電圧に変換するＤＣ−ＤＣコンバータである。電源回路１５１は、入力端と、一乃至複数の出力端とを有する。この入力端は、上述の電源スイッチ１２１を介して電源コネクタ１１４と電気的に接続されている。この電源コネクタ１１４には、上述のＡＣ−ＤＣアダプタ１１１が電気的に接続される。すなわち、電源回路１５１には、ＡＣ−ＤＣアダプタ１１１から一定の直流電圧が入力される。なお、上述の「電気的に接続」とは、回路基板のパターンやリード線などによって導通させることを意味する。
【０１２０】
電源回路１５１は、例えば、入力された１５Ｖの直流電圧を、５Ｖや１０Ｖや１２Ｖ等に変換する。電源回路１５１は、例えば、スイッチングレギュレータやシリーズレギュレータなどのいわゆる電源ＩＣを一乃至複数個用いて構成することができる。また、回路保護等のため、トランスを用いた絶縁タイプが用いられてもよい。また、ツェナーダイオードなどを用いた簡易な定電圧回路が追加で用いられてもよい。
【０１２１】
電源回路１５１の出力端の一つは、駆動回路１５２と接続される。駆動回路１５２は、ヒータ１４３を駆動させるドライブ回路である。具体的には、駆動回路１５２は、図１３に示されるように、オペアンプのネガティブ・フィードバックを用いた定電流回路により構成されており、一定の直流電流（定電流）を出力する。
【０１２２】
駆動回路１５２は、２個の分圧抵抗Ｒ２、Ｒ３と、オペアンプＯＰ１と、トランジスタＴＲ１と、電流値を決定する決定抵抗Ｒ１と、保護コンデンサＣ１とを有する。保護コンデンサＣ１の一端は、電源回路１５１の出力端の一つである定電圧Ｖ１と接続されている。保護コンデンサＣ１の他端は接地されている。保護コンデンサＣ１は、電源スイッチ１２１をオンした時の突入電流の緩和等を行う。
【０１２３】
２個の分圧抵抗Ｒ２、Ｒ３は、直列接続され、分圧抵抗Ｒ２側の一端において定電圧Ｖ１（及び保護コンデンサＣ１）と接続され、分圧抵抗Ｒ３側の他端において接地されている。２個の分圧抵抗Ｒ２、Ｒ３は、定電圧Ｖ１を分圧し、２個の分圧抵抗Ｒ２、Ｒ３の接続点から分圧電圧を出力する。
【０１２４】
２個の分圧抵抗Ｒ２、Ｒ３の接続点は、オペアンプＯＰ１の正端子（＋）と接続されている。つまり、分圧された電圧が、オペアンプＯＰ１の正端子（＋）に入力される。オペアンプＯＰ１の出力端子は、トランジスタＴＲ１のゲートに接続されている。一方、オペアンプＯＰ１の負端子（−）は、トランジスタＴＲ１のエミッタに接続されるとともに、決定抵抗Ｒ１を介して接地されている。トランジスタＴＲ１のコレクタは、ヒータ１４３を介して、電源回路１５１の出力端の一つである定電圧Ｖ２と接続されている。よって、ヒータ１４３には、定電流Ｉｃ＝Ｖ２／Ｒ１が供給される。なお、定電圧Ｖ１とＶ２とは、相違していてもよいし、同じであってもよい。また、電流値の調整用として、決定抵抗Ｒ１と直列に可変抵抗が接続されていてもよい。また、定電圧Ｖ１を分圧せずに、電源回路１５１からの定電圧をオペアンプＯＰ１の正端子（＋）に直接入力してもよい。
【０１２５】
図１４に示される第１出力回路１５３は、トランジスタＴＲ１のコレクタ端（図１３のａ端）の電圧（ヒータ電圧）を検出する回路である。第１出力回路１５３には、オペアンプＯＰ２を用いたボルテージフォロワが用いられている。具体的には、オペアンプＯＰ２の正端子（＋）は、保護抵抗Ｒ４を介してａ端と接続されており、負端子（−）は出力端子と接続されている。よって、オペアンプＯＰ２は、ａ端の電圧と等しい電圧を出力する。
【０１２６】
オペアンプＯＰ２の出力端子は、本体１２０の背面側に設けられた外部出力コネクタ１１５（図１２）の端子の一つと電気的に接続されている。すなわち、第１出力回路１５３は、ヒータ電圧を外部へ出力する。なお、第１出力回路１５３にボルテージフォロワが用いられているのは、外部出力のためのインピーダンス変換を行うためである。また、ノイズ除去等のため、オペアンプＯＰ２の出力端子は、コンデンサＣ２を介して接地されている。
【０１２７】
図１５に示される第２出力回路１５４は、ヒータ電圧の変化を検出する回路である。第２出力回路１５４には、オペアンプＯＰ３を用いた差動増幅回路が用いられている。具体的に説明すると、第２出力回路１５４は、オペアンプＯＰ３と、３個の保護抵抗Ｒ５，Ｒ６，Ｒ７と決定抵抗Ｒ８とを備える。
【０１２８】
オペアンプＯＰ３の正端子（＋）は、保護抵抗Ｒ５を介してａ端と接続される。オペアンプＯＰ３の負端子（−）は、保護抵抗Ｒ６を介して、電源回路１５１の出力端の一つである定電圧Ｖ３と接続され、且つ保護抵抗Ｒ７を介して接地される。決定抵抗Ｒ８は、オペアンプＯＰ３の正端子（＋）と負端子（−）との間に接続される。オペアンプＯＰ３は、ヒータ電圧と定電圧Ｖ３との差を、決定抵抗Ｒ８に応じた増幅度で増幅して出力する。定電圧Ｖ３は、例えば、ヒータ１４３が血流によって冷却されないときのヒータ電圧に等しい電圧に設定される。すなわち、ヒータ１４３が血流によって冷却されないとき、第２出力回路１５４は、０Ｖを出力する。ただし、定電圧Ｖ３は、他の電圧値に設定されてもよい。例えば、定電圧Ｖ３は、定電圧Ｖ１や定電圧Ｖ２と同電圧にされても良い。また、電源回路１５１からの出力電圧を分圧抵抗で分圧した電圧を定電圧Ｖ３としても良い。
【０１２９】
上述のようにして構成された第２出力回路１５４は、ヒータ電圧における基準値（Ｖ３）からの変化分を増幅して出力する。この変化分は、流速に相当する。すなわち、第２出力回路１５４は、血液の流速に応じた電圧を出力する。詳しく説明すると、上述のように、ヒータ電圧は、供給された直流電流の電流値と、血液の流速に応じた値になる。上述の基準値（Ｖ３）は、供給された直流電流の電流値に相当する。したがって、上述の変化分は、血液の流速に相当し、第２出力回路１５４は、血液の流速に応じた電圧を出力することになる。
【０１３０】
第２出力回路１５４のオペアンプＯＰ３の出力端子は、外部出力コネクタ１１５の一つと電気的に接続されている。すなわち、第２出力回路１５４は、血液の流速に相当する電圧を外部（パーソナルコンピュータ１１２）へ出力する。
【０１３１】
温度補償用回路１５５は、熱電対１３７の出力電圧を増幅して外部へ出力するアンプ回路である。温度補償用回路１５５は、０℃〜５０℃を０Ｖ〜５０Ｖの電圧に変換・増幅して出力する。温度補償用回路１５５については、一般的な構成を採用し得るので、詳しい説明は割愛するが、例えば、オペアンプを用いた増幅回路を温度補償用回路１５５として用いることができる。また、０℃を０Ｖに対応させ、５０℃を５０Ｖに正確に対応させるため、補正用の可変抵抗が温度補償用回路１５５に設けられてもよい。なお、熱電対１３７自体の温度補償が必要な場合には、熱電対補償回路がこの温度補償用回路１５５に設けられ、または、パーソナルコンピュータ１１２において、所定の計算式から熱電対１３７自体の温度補償が行われてもよい。熱電対１３７によって検出された（血液の）温度は、流速の補正に用いられる。
【０１３２】
次に、漏れ電流を検出する漏電検知回路１５６が説明される。漏電検知回路１５６は、図１６に示されるように、第１検知回路１６１と、第２検知回路１６２とを備える。第１検知回路１６１は、ヒータ１４３から血液中への漏れ電流を検出する回路である。一方、第２検知回路１６２は、ガイドワイヤ１３０全体から血液中への漏れ電流を検出する回路である。
【０１３３】
第１検知回路１６１は、第１シャント抵抗Ｒｓ１と、第１シャント抵抗Ｒｓ１の両端間電圧を増幅するオペアンプＯＰ４と、オペアンプＯＰ４の出力と定電圧Ｖ２とを比較する第１コンパレータＣＯＭ１とを備える。第１シャント抵抗Ｒｓ１の一端（ａ端）は、ヒータ１４３とトランジスタＴＲ１との接続点（図１２のａ端）と接続されており、他端は接地（アース）されている。よって、第１シャント抵抗Ｒｓ１には、ヒータ１４３からの帰還電流に応じた大きさの電圧が生じる。この電圧がオペアンプＯＰ４により増幅され、第１コンパレータＣＯＭ１において、ヒータ１４３への入力電流（Ｖ２／Ｒ１）に応じた電圧であるＶ２と比較される。すなわち、第１コンパレータＣＯＭ１では、入力電流と帰還電流とが比較される。なお、第１コンパレータＣＯＭ１の負端子（−）が定電圧Ｖ２以外の定電圧と接続され、当該定電圧が比較対象とされてもよい。
【０１３４】
第１コンパレータＣＯＭ１は、ヒータ１４３からの漏れ電流が閾値を超えるまでは０Ｖを出力し、ヒータ１４３からの漏れ電流が閾値を超えると、一定電圧を出力する。閾値は、第１シャント抵抗Ｒｓ１の抵抗値と、オペアンプＯＰ４の増幅度と、定電圧Ｖ２とによって決まる。このように、第１検知回路１６１は、ヒータ１４３から血液中への漏れ電流が一定値を超えると漏れ電流と判断し、一定電圧（第１検知信号）を出力する。この第１検知信号は、図１６のｃ端から出力され、後述の停止回路１５７（図１７）に入力される。
【０１３５】
また、この第１検知信号は、第１検知回路１６１の出力端（ＯＵＴ）の電圧を変化させる。具体的に説明すると、第１コンパレータＣＯＭ１の出力端子は、スイッチング素子としてのトランジスタＴＲ２のベースに接続されている。このトランジスタＴＲ２のエミッタは接地されている。トランジスタＴＲ２のコレクタは定電圧Ｖ４と接続されている。また、トランジスタＴＲ２のコレクタが外部出力コネクタ１１５の一つと電気的に接続されている。第１コンパレータＣＯＭ１が第１検知信号を出力するか否かにより、トランジスタＴＲ２がオンまたはオフし、結果、外部出力コネクタ１１５への出力電圧が定電圧Ｖ４または０Ｖになる。なお、定電圧Ｖ４は、Ｖ１やＶ２やＶ３と同電圧であってもよいし、相違していてもよい。また、トランジスタＴＲ２のコレクタ・エミッタ間には、逆流防止用ダイオードＤ１が接続されている。
【０１３６】
第２検知回路５４は、第２シャント抵抗Ｒｓ２と、第２シャント抵抗Ｒｓ２の両端間電圧を増幅して出力するオペアンプＯＰ５と、オペアンプＯＰ５の出力と定電圧Ｖ２とを比較する第２コンパレータＣＯＭ２とを備える。
【０１３７】
第２シャント抵抗Ｒｓ２の一端は上述の検知電極１４４に接続され、他端は接地（アース）されている。よって、第２シャント抵抗Ｒｓ２には、ガイドワイヤ１３０全体から血液中への漏れ電流に応じた電圧が生じる。この電圧がオペアンプＯＰ５により増幅され、第２コンパレータＣＯＭ２において、定電圧Ｖ２と比較される。なお、第２コンパレータＣＯＭ２の負端子（−）が定電圧Ｖ２以外の定電圧と接続され、当該定電圧が比較対象とされてもよい。
【０１３８】
第２コンパレータＣＯＭ２は、漏れ電流が閾値を超えるまでは０Ｖを出力し、漏れ電流が閾値を超えると一定電圧を出力する。閾値は、第２シャント抵抗Ｒｓ２の抵抗値と、オペアンプＯＰ６の増幅度と、定電圧Ｖ２とによって決まる。このように、第２検知回路１６２は、ガイドワイヤ１３０全体から血液中への漏れ電流が一定値を超えると漏れ電流と判断し、一定電圧（第２検知信号）を出力する。この第２検知信号は、図１６のｄ端から出力され、後述の停止回路１５７（図１７）に入力される。
【０１３９】
また、第２検知信号は、第２検知回路１６２の出力端（ＯＵＴ）の電圧を変化させる。具体的に説明すると、第２コンパレータＣＯＭ２の出力端子は、スイッチング素子としてのトランジスタＴＲ３のベースに接続されている。このトランジスタＴＲ３のエミッタは接地されている。トランジスタＴＲ３のコレクタは定電圧Ｖ４と接続されている。また、トランジスタＴＲ３のコレクタが外部出力コネクタ１１５の一つと電気的に接続されている。第２コンパレータＣＯＭ２が上述の第２検知信号を出力するか否かにより、トランジスタＴＲ３がオンまたはオフし、結果、外部出力コネクタ１１５への出力電圧が定電圧Ｖ４または０Ｖになる。なお、定電圧Ｖ４は、Ｖ１やＶ２やＶ３と同電圧であってもよいし、相違していてもよい。また、トランジスタＴＲ３のコレクタ・エミッタ間には、逆流防止用ダイオードＤ２が接続されている。
【０１４０】
漏電検知回路１５６が出力した上述の検知信号（第１検知信号及び第２検知信号）は、機能スイッチ１２３を介して図１７に示される停止回路１５７に入力される。停止回路１５７は、検知信号が入力されると、駆動回路１５２の駆動を停止させる。詳しく説明すると、停止回路１５７は、スイッチング素子であるトランジスタＴＲ４と、信号維持コンデンサＣ３と、放電用抵抗Ｒ９とを備える。トランジスタＴＲ４のゲートは、機能スイッチ１２３を介して、第１検知回路１６１のｃ端及び第２検知回路１６２のｄ端と接続されている。トランジスタＴＲ４は、第１検知回路１６１または第２検知回路１６２が出力した検知信号によってオンされる。すなわち、トランジスタＴＲ４は、機能スイッチ１２３がオンされているときに第１検知回路１６１と第２検知回路１６２とのいずれか一方が漏れ電流を検知すると、オンされる。
【０１４１】
トランジスタＴＲ４のコレクタ（ｂ端）は、駆動回路１５２のｂ端（図１３）と接続されている。一方、トランジスタＴＲ４のエミッタは接地されている。よって、漏電検知回路１５６が漏れ電流を検知してトランジスタＴＲ４がオンすると、駆動回路１５２のオペアンプＯＰ１の正端子（＋）が接地される。すなわち、ヒータ１４３への電流供給が停止される。
【０１４２】
信号維持コンデンサＣ３の一端は、トランジスタＴＲ４のゲートと接続され、他端は接地されている。よって、信号維持コンデンサＣ３は、漏電検知回路１５６が漏電を検知すると、検知信号によって充電される。一方、放電用抵抗Ｒ９は、信号維持コンデンサＣ３と並列接続されている。信号維持コンデンサＣ３に蓄えられた電荷は、放電用抵抗Ｒ９を介して放電される。
【０１４３】
信号維持コンデンサＣ３は、漏電検知回路１５６からの検知信号によって充電されると、漏電検知回路１５６が検知信号を出力しなくなった後も、トランジスタＴＲ３のオン動作を一定時間の間、維持する。すなわち、検知信号が停止した後も、ヒータ１４３への電流供給の停止が、一定時間の間、維持される。当該一定時間は、信号維持コンデンサＣ３の容量及び放電用抵抗Ｒ９の抵抗値によって決まる。なお、停止回路１５７には、回路保護用のダイオードＤ３、Ｄ４が接続されている。
【０１４４】
次に計測装置１００の使用について、図９及び図１２を用いて説明がされる。まず、ガイドワイヤ１３０がヒトの血管内に挿入される。ガイドワイヤ１３０の先端が計測部位（例えば、冠動脈）に到達すると、本体１２０の電源スイッチ１２１及び機能スイッチ１２３がオンされ、センサ１３３が駆動される。すなわち、駆動回路１５２からヒータ１４３へ定電流が供給される。その際、第１出力回路１５３は、ヒータ電圧を出力し、第２出力回路１５４は、血液の流速に応じた電圧を出力し、温度補償用回路１５５は、熱電対１３７の出力を増幅及び変換して出力する。また、漏電検知回路１５６は、漏電の有無を監視する。具体的には、第１検知回路１６１が、ヒータ１４３から血液への漏れ電流を監視し、第２検知回路１６２が、ガイドワイヤ１３０から血液への漏れ電流を監視する。なお、ガイドワイヤ１３０がヒトの血管内に挿入される前に、電源スイッチ１２１及び機能スイッチ１２３がオンされていてもよい。
【０１４５】
第１出力回路１５３が検出したヒータ電圧と、第２出力回路１５４が出力した電圧（流速電圧）と、漏電検知回路１５６が漏電を検知したときに出力する信号電圧とは、外部出力コネクタ１１５から出力され、ケーブル１１３を介してパーソナルコンピュータ１１２に入力される。パーソナルコンピュータ１１２では、インストールされた解析ソフトにより、流速電圧から流速が算出される。この「算出」には、計算式（解析ソフトに予め記憶）による算出や、流速電圧と流速との対応関係を表す流速決定テーブル（解析ソフトに予め記憶）を用いて流速を決定することが含まれる。
【０１４６】
算出された流速は、温度補償用回路１５５から入力された入力電圧によって補正される。例えば、予め入力された計算式によって補正値が算出され、または、上記入力電圧と補正値との対応関係を表す換算テーブルを用いて補正値が決定される。この決定された補正値により、流速が補正される。
【０１４７】
補正された流速、及び上述のヒータ電圧は、モニタに表示される。また、漏電検知回路１５６が漏電を検知すると、ヒータ１４３への定電流の供給が停止され、また、パーソナルコンピュータ１１２に、漏電が検知されたことを伝達する信号電圧が入力され、漏電が検知された旨がモニタに表示されたり、警告音が発せられたりする。なお、パーソナルコンピュータ１１２において、算出された流速から血液の圧力が算出され、算出された圧力がモニタに表示されてもよい。
【０１４８】
[第３実施形態の作用効果]
第３実施形態に係る計測装置１００は、漏電検知回路１５６により、一定の漏れ電流が生じたことを検知することができる。また、漏れ電流を検知したことを外部へ出力し、モニタに表示させたり、警告音を発せさせたりすることができる。
【０１４９】
また、機能スイッチ１２３が設けられているので、センサ１３３の駆動を停止することが適当でないときや、センサ１３３の駆動を再開したいときは、停止回路３７によるセンサ１３３の駆動停止機能をオフにすることができる。
【０１５０】
また、熱電対１３７及び温度補償用回路１５５が設けられているので、算出した流速の温度に関する補正を行うことができる。
【０１５１】
また、漏電検知回路１５６に、第１検知回路１６１と第２検知回路１６２との両方の検知回路が設けられているので、ヒータ１４３からの漏電と、ガイドワイヤ１３０全体からの漏電との双方を別個に検知することができる。
【０１５２】
また、停止回路１５７が設けられているので、漏電が検知されると、ヒータ１４３への電流供給が即座に停止される。また、信号維持コンデンサＣ３が設けられているので、ヒータ１４３への電流供給が頻繁にオンオフされること（チャタリング）が防止される。
【０１５３】
[第３実施形態の変形例]
第３実施形態では、漏電検知回路１５６が第１検知回路１６１と第２検知回路１６２とを備える例が説明された。しかしながら、漏電検知回路１５６が、第１検知回路１６１のみ、または、第２検知回路１６２のみを備えていてもよい。
【０１５４】
第３実施形態では、第１検知回路１６１からの信号電圧と、第２検知回路１６２からの信号電圧とが個別にパーソナルコンピュータ１１２に入力される構成が説明された。しかしながら、第１検知回路１６１からの信号電圧のみ、または第２検知回路１６２からの信号電圧のみがパーソナルコンピュータ１１２に入力されてもよい。また、第１検知回路１６１の出力端と第２検知回路１６２の出力端とが接続されて、第１検知回路１６１と第２検知回路１６２とのうち少なくとも一方が漏電を検知すれば、パーソナルコンピュータ１１２に、漏電を検知したことを伝達する信号電圧が入力される構成が採用されてもよい。
【０１５５】
第３実施形態では、パーソナルコンピュータ１１２で流速の補正及び算出が行われる構成が説明された。しかしながら、流速の算出及び補正は、制御回路１５０において行われてもよい。例えば、熱電対１３７の出力をアンプ回路を用いて適当な電圧に変換し、当該変換した電圧とヒータ電圧とを差分増幅回路に入力することによって、流速の補正及び算出が行われてもよい。このようにして補正・算出された流速に相当する電圧が、外部出力コネクタ１１５を介してパーソナルコンピュータ１１２へ出力される。
【０１５６】
第３実施形態では、熱電対１３７がガイドワイヤ１３０に設けられた例が説明された。しかしながら、熱電対１３７の代わりに、参照用ヒータが設けられてもよい。参照用ヒータには、ヒータ１４３と同一構成のものが使用される。参照用ヒータは、ヒータ１４３と同様に、ガイドワイヤ１３０の先端に設けられる。しかしながら、参照用ヒータは、血液に晒されないように設けられる。よって、参照用ヒータの電圧は、血液の流速に依存しないが、血液の温度に依存する値となる。この参照用ヒータの電圧は、温度補償用回路１５５から外部に出力される。パーソナルコンピュータ１１２は、参照用ヒータの電圧により補正値を決定し、流速を補正する。参照用ヒータは、熱電対１３７と同じく、温度補償に用いられる検知体に相当する。なお、流速の算出及び補正をパーソナルコンピュータ１１２で行わずに、制御回路１５０で行うこともできる。例えば、ヒータ１４３の電圧と、参照用ヒータの電圧との差分を増幅して出力する差動増幅回路が制御回路に設けられる。
【０１５７】
また、第３実施形態では、熱電対１３７により流速が補正される構成が説明された。しかしながら、熱電対１３７が設けられない構成を採用することもできる。例えば、血液の温度が所定値であるとして、この所定値に応じた補正値で流速が補正されてもよい。または、施術前に患者の体温を計測し、計測された体温に応じた補正値で流速が補正されてもよい。
【０１５８】
第３実施形態では、駆動回路１５２として、オペアンプのネガティブ・フィードバックを用いた定電流回路を用いた例が説明された。しかしながら、他の定電流回路が用いられてもよい。
【０１５９】
第３実施形態では、漏れ電流が検知されると、信号維持コンデンサＣ３により、一定時間の間、センサ１３３の駆動が停止される例が説明された。しかしながら、他の構成、例えば、一度漏れ電流が検出されると、手動復帰されない限りセンサ１３３の駆動が停止され続ける構成が採用されてもよい。例えば、トランジスタＴＲ４の代わりに、手動復帰可能な電磁リレーなどが停止回路１５７に設けられてもよい。
【０１６０】
第３実施形態では、漏れ電流が検知されると、駆動回路１５２からヒータ１４３への定電流の供給が停止される構成が説明された。しかしながら、漏れ電流が検知されると、電源スイッチ１２１自体がオフされてもよい。
【０１６１】
第３実施形態では、パーソナルコンピュータ１１２を利用して流速の算出や表示を行う構成が説明された。しかしながら、パーソナルコンピュータ１１２を用いない構成とすることもできる。例えば、解析ソフトに代わるマイクロコンピュータが制御回路１５０に設けられ、モニタに代わる液晶表示器が本体１２０に設けられ、さらに、表示ドライバＩＣなどが制御回路１５０に設けられる。この構成を採用した場合、本体１２０にパーソナルコンピュータ１１２を接続する必要がなく、本体１２０において、ヒータ電圧や、流速や、漏電検知の有無などが液晶表示器に表示される。
【０１６２】
なお、本発明の制御回路１５０は、上述の実施形態において説明されたセンサ１３３以外の流速計や、計測素子２７のような血圧センサなどにも用いることができることはいうまでもない。
【０１６３】
[その他の変形例]
血液の圧力や流速の測定は、常時実行されてもよいし、間欠的に実行されてもよい。具体的には、駆動回路１５２は、定電流を常時出力してもよいし、定電流を間欠的に出力してもよい。例えば、駆動回路１５２の出力端にスイッチング素子を設け、一定周波数の駆動信号をスイッチング素子に入力し、スイッチング素子をオンオフさせる。その結果、駆動回路１５２は、間欠的に定電流を出力する。その他、既存の技術を用いて、間欠的な定電流の出力を行うことができる。
【０１６４】
血液の圧力や流速の測定が間欠的に行われることにより、計測の精度が向上する。具体的に説明すると、漏れ電流が生じた場合、基準電圧の電圧レベルがシフトすることがある。基準電圧とは、グランドや生成した定電圧である。電圧レベルがシフトすると、検出の精度が低下する。定電流が間欠的に出力されることにより、基準電圧の電圧レベルのシフトが抑制される。その結果、計測の精度が向上する。
【０１６５】
なお、間欠的に定電流を出力させる場合、定電流を出力させる期間と、定電流を出力させない期間との比であるデューティー比を可変とすることが望ましい。デューティー比を変更する技術には、既存の技術を用いることができる。また、デューティー比の変更は、ポテンショメータ（デジタル可変抵抗器）などによって、外部から行えることが望ましい。例えば、漏れ電流量が多い場合、デューティー比が小さくされ、漏れ電流量が少ない場合、デューティー比が大きくされる。
【符号の説明】
【０１６６】
１０，６０・・・・シャフト
１１，６１・・・シャフト本体部
１２・・・連結部
１４，３２Ａ・・・スリット（通路）
１５・・・カバー部材
２０・・・・先端ガイド部
２１・・・・第１コイル体
２２・・・・素子保持体
２３・・・・第２コイル体
２４・・・・先端部材
２５・・・・信号線
２６・・・・芯材
２７・・・・計測素子
３０・・・・連結部材（連結部）
３１・・・・連結本体部
３２・・・・支持部
５０・・・・血液計測装置
１１０・・・計測装置
１２３・・・機能スイッチ
１３２・・・シャフト（長尺部材）
１３３・・・センサ
１３７・・・熱電対（検知体）
１５０・・・制御回路
１５２・・・駆動回路（定電流回路）
１５５・・・温度補償用回路
１５６・・・漏電検知回路
１５７・・・停止回路
１６１・・・第１検知回路
１６２・・・第２検知回路
Ｒｓ１・・・第１シャント抵抗
Ｒｓ２・・・第２シャント抵抗
ＣＯＭ１・・・第１コンパレータ
ＣＯＭ２・・・第２コンパレータ
Ｃ３・・・信号維持コンデンサ
Ｒ９・・・放電用抵抗
【図１】
2017170363.tif 000003
【図２】
2017170363.tif 000004
【図３】
2017170363.tif 000005
【図４】
2017170363.tif 000006
【図５】
2017170363.tif 000007
【図６】
2017170363.tif 000008
【図７】
2017170363.tif 000009
【図８】
2017170363.tif 000010
【図９】
2017170363.tif 000011
【図１０】
2017170363.tif 000012
【図１１】
2017170363.tif 000013
【図１２】
2017170363.tif 000014
【図１３】
2017170363.tif 000015
【図１４】
2017170363.tif 000016
【図１５】
2017170363.tif 000017
【図１６】
2017170363.tif 000018
【図１７】
2017170363.tif 000019
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
可撓性を有する管状のシャフトと、
上記シャフトの遠位端に同軸に位置し、その内径が上記シャフトの内径より大きい管状の連結部と、
上記連結部の内外を連通する通路と、
上記連結部の遠位端に同軸に連結された可橈性を有する管状の先端ガイド部と、
上記連結部内に嵌め込まれており、上記先端ガイド部の内部空間を遠位端へ延びて上記先端ガイド部と接続された可撓性を有する芯材と、
上記先端ガイド部の内部空間に位置しており、血液の物理量を計測する計測素子と、
上記計測素子から延出されて上記通路を通じて上記シャフトの内部空間に挿通された信号線と、を具備する血液計測装置。
【請求項２】
上記連結部は、上記シャフトの遠位端に一体に形成されたものである請求項１に記載の血液計測装置。
【請求項３】
上記通路は、上記連結部において軸線方向へ延びるスリットである請求項２に記載の血液計測装置。
【請求項４】
上記通路は、上記芯材の近位端において軸線方向へ延びる溝である請求項２に記載の血液計測装置。
【請求項５】
上記連結部は、その外径が上記シャフトの近位端の外径より小さいものであり、
上記連結部に外嵌された管状のカバー部材を更に具備する請求項１から４のいずれかに記載の血液計測装置。
【請求項６】
上記芯材の近位端は、上記通路の近位端と遠位端との間に位置する請求項１から５のいずれかに記載の血液計測装置。
【請求項７】
上記連結部は、上記シャフトの遠位端に同軸に連結された管状の本体部と、当該本体部内の遠位端に位置して上記芯材が嵌め込まれた管状の支持部と、を有するものである請求項１に記載の血液計測装置。
【請求項８】
上記通路は、上記支持部において軸線方向へ延びるスリットである請求項６に記載の血液計測装置。
【請求項９】
上記通路は、上記芯材の近位端において軸線方向へ延びる溝である請求項６に記載の血液計測装置。
【請求項１０】
上記支持部の近位端は、上記本体部の近位端と遠位端との間に位置する請求項６から９のいずれかに記載の血液計測装置。
【請求項１１】
上記シャフトの内部空間の内径は、上記芯材の近位端の外径よりも小さい請求項１から１０のいずれかに記載の血液計測装置。
【請求項１２】
上記先端ガイド部は、線材が螺旋形状に巻かれたコイル体と、遠位端に位置する先端部材と、を有しており、
上記芯材は、上記先端部材に連結されたものである請求項１から１１のいずれかに記載の血液計測装置。
【請求項１３】
上記計測素子は、血液の圧力を計測するものである請求項１から１２のいずれかに記載の血液計測装置。
【請求項１４】
上記計測素子は、血液の流速を計測するものである請求項１から１２のいずれかに記載の血液計測装置。
【国際調査報告】
2017170363.tif 000020
2017170363.tif 000021
2017170363.tif 000022
2017170363.tif 000023
2017170363.tif 000024
2017170363.tif 000025
2017170363.tif 000026
2017170363.tif 000027